(57)【特許請求の範囲】
【請求項１】
電源オンの後第１の時間内に発呼操作が行われたか否か判断する手段と、この判段手段にて第１の時間内に発呼操作が行われたことを判断した場合、当該の発呼操作による通信が完了した後、待ち受け状態に移行し第２の時間内に他の通信がない場合に電源をオフとするように制御する制御手段を備えることを特徴とした移動体通信装置の電力制御装置。
【請求項２】
電源オンの後第１の時間内に発呼操作が行われたか否か判断する手段と、この判段手段にて第１の時間内に発呼操作が行われたことを判断した場合、当該の発呼操作による通信が完了した後、待ち受け状態に移行し第２の時間内に他の通信がない場合に電源をオフとするように制御するとともに、前記判断手段にて第１の時間内に発呼操作が行われなかったと判断した場合、電源が自動的にオフしないように制御する制御手段を備えたことを特徴とした移動体通信装置の電力制御装置。
【発明の詳細な説明】
【０００１】
【発明の属する技術分野】
この発明は、移動体通信装置の電力制御装置に係り、携帯電話装置等の移動体通信装置を使用しないときには、電源をオフにして電源の消費を抑える省電力システムに関する。
【０００２】
【従来の技術】
近年、デジタル携帯電話装置やＰＨＳなどの移動体通信装置が急速に普及してきており、通話だけでなくデータ通信などに広く利用されている。
【０００３】
上記携帯電話装置などの移動体通信装置においては、充電電池を電源として用いており、使用可能時間などの関係からできるだけ消費電力を少なくすることが望まれ、使用しないときは電源をオフにするなどして省電力を図ることが提案されている。
【０００４】
従来の携帯電話装置で、特に、待ち受け時の省電力を図る方法として、例えば、特開平１１―４１１６８号公報に記載されているように、基地局のサービス圏外の理由で電源切断し、任意時間経過後に自動的に電源が入るように構成して、電池寿命を長くする方法がある。また、タイマー管理で昼間は電源オンにして、夜間は電源オフにするなどの制御を行って省電力化を図る方法などが知られている。
【０００５】
【発明が解決しようとする課題】
しかしながら、前述したような電力制御方法では、携帯電話装置を使用する必要がない場合においても、携帯電話装置が基地局のサービス圏内に位置する場合には、無駄に電源を使用することになる。例えば、この携帯電話装置が主にデータ通信などで利用者（ユーザ）側からの発呼による通信で使われている場合には、通信中のみ電源がオンになっていればよい。
【０００６】
この発明は、携帯電話装置等の移動体通信装置において、電源オンの後、所定の時間内に発呼操作をした場合において、その発呼操作による通信が終了した時点で、携帯電話装置等の電源をオフすることによって、携帯電話装置等の省電力化を行う電力制御装置を提供することを目的とする。
【０００７】
【課題を解決するための手段】
この発明は、電源オンの後第１の時間内に発呼操作が行われたか否か判断する手段と、この判段手段にて第１の時間内に発呼操作が行われたことを判断した場合、当該の発呼操作による通信が完了した後、待ち受け状態に移行し第２の時間内に他の通信がない場合に電源をオフとするように制御する制御手段を備えることを特徴とする。
【０００８】
また、この発明は、電源オンの後第１の時間内に発呼操作が行われたか否か判断する手段と、この判段手段にて第１の時間内に発呼操作が行われたことを判断した場合、当該の発呼操作による通信が完了した後、待ち受け状態に移行し第２の時間内に他の通信がない場合に電源をオフとするように制御するとともに、前記判断手段にて第１の時間内に発呼操作が行われなかったと判断した場合、電源が自動的にオフしないように制御する制御手段を備えたことを特徴とする。
【０００９】
この発明のシステムでは、携帯電話装置等の電源オンの後、所定の時間内に発呼操作が行われた場合には、その発呼によって開始される通信の為だけに、携帯電話装置等の電源がオンされたものと判断する。そして、その発呼操作による通信が終了した時点で、携帯電話装置等の電源をオフにする。
【0010】
従って、この発明によるシステムでは、通話目的で携帯電話装置等の電源をオンにした場合、通話終了後、自動的に電源がオフにされ、無駄な待ち受け時の電源消費を少なくすることができる。
【００１１】
【発明の実施の形態】
以下、この発明の実施の形態につき図面を参照して説明する。図１は、この発明の実施の形態に係る携帯電話装置を示す正面図である。図２は、この発明の実施の形態に係る携帯電話装置のブロック図である。
【００１２】
携帯電話本体１には、ユーザが発呼動作、着信動作、切断動作並びに電源のオン／オフ等の操作を行うテンキー等からなる操作手段１１が設けられている。また、本体１には各動作並びに状態等を表示する液晶パネルからなる表示装置１２及びアンテナ１３が設けられている。
【００１３】
図２のブロック図に示すように、操作手段１１による各操作はユーザＩ／Ｆモジュール２１に与えられ、このユーザＩ／Ｆモジュール２１から、発呼や切断、着信の操作のための信号が制御部２に与えられる。制御部２は、各モジュールの制御や、通信プロトコル制御などを行う。制御部２には記憶装置２４が接続され、この記憶装置２４は、短縮ダイヤルデータなどの各種データが格納されるとともに、省電力動作を行うためのフラグＦｏｆｆが格納される。
【００１４】
また、制御部２はユーザＩ／Ｆモジュール２１等からのダイヤル情報等を表示装置１２に与え、表示部１２にて各種表示を行う。更に、制御部２は通信プロトコルに従って送受信装置２５を介して送信及び受信を行う。
【００１５】
タイマー回路２３は、、通信プロトコルや制御部による各モジュール制御で利用するほか、この発明では、後述するように電池３の電源スイッチオンオフ制御するためのタイマーＴｍｏｎとタイマーＴｏｆｆのタイマーとして使用する。タイマーＴｍｏｎは、ユーザが発呼によって開始される通信だけ利用するか否か判断するために用いられるものであり、タイマーＴｏｆｆは切断保護のために用いられるタイマーである。
【００１６】
以下、この発明の実施の形態における動作を図３のグラフと図４ないし図７のフロー図を使って説明する。
【００１７】
携帯電話装置の電源がオフの場合に、ユーザが通話又はデータ通信の目的で発呼を行う場合、まず、携帯電話装置の操作手段１１を用いて電源スイッチ４をオンにする。この時、図３ではＡに示す状態、図４ではステップＳ１の状態である。ここで制御部２は、図４に示すように、タイマー回路２３によりタイマーＴｍｏｎを起動する（ステップＳ２）。そして、記憶装置２４のフラグＦｏｆｆをセットする（ステップＳ３）。フラグＦｏｆｆは通信が終了後、携帯電話装置の電源スイッチ４をオフにするかどうかを決定するためのフラグである。その後、携帯電話装置は、通信手続きを経て待ち受け状態に移行する。
【００１８】
待ち受け状態の時は、制御部２は図５に示す処理動作を行うことになる。タイマーＴｍｏｎが起動中、即ち、電源をオンにしてから所定時間の間に操作手段１１を用いてユーザが発呼動作を行うと、ユーザＩ／Ｆモジュール２１から発呼の操作情報が制御部２に与えられ、所定の通信手続きを経て通信中に移行する。この時、携帯電話装置は図３のＢの状態、図５のステップＳ６の状態となる。続いて、制御部２は、タイマーＴｏｆｆの状態を調べ（ステップＳ７）、起動中であればタイマーＴｏｆｆを停止し（ステップＳ８）、そして、タイマーＴｍｏｎの状態を調べ（ステップＳ９）、起動中であればタイマーＴｍｏｎを停止し（ステップＳ１０）、通信動作に入る。
【００１９】
一方、待ち受け中に、タイマーＴｍｏｎが満了した場合は、携帯電話装置は図４のステップＳ４の状態となり、フラグＦｏｆｆをクリアする（ステップＳ５）。この場合、ユーザは通常の待ち受け動作を希望する場合と制御部２は判断し、携帯電話装置は定常的に待ち受け状態になり、この先、電源スイッチ４のオフ動作は操作手段４に基づくオフ動作によりオフされない以外オフ動作は実施されない。
【００２０】
図６に示すように、通信中の状態で、携帯電話装置のユーザＩ／Ｆモジュール２１からの切断指示、或いは通信相手からの切断があった場合、通信切断手続を行う。携帯電話装置は図３のＣ、図６のステップＳ２０の状態となる。この時、フラグＦｏｆｆがセットされている場合は、タイマーＴｏｆｆを起動し、待ち受け状態に移行する（ステップＳ２１、Ｓ２２）。
【００２１】
待ち受け状態でタイマーＴｏｆｆが満了した場合は、図３のＤ、図５のステップＳ１１の状態となり、直ちに携帯電話装置の電源スイッチ４をオフにする。
【００２２】
一方、タイマーＴｏｆｆが満了する前に、操作手段１１により発呼操作を行いユーザＩ／Ｆモジュール２１から発呼操作を制御部２が受け取ると、図５のステップＳ６の状態となり、タイマーＴｏｆｆを停止し、通信中に移行する（ステップＳ７ないしＳ１０）。また、フラグＦｏｆｆはセットされたままなので、次に切断されたときには再びタイマーＴｏｆｆが起動する。
【００２３】
待ち受け中に、図７に示すように、着呼があった場合は、ステップＳ３０の状態となる。制御部２は、タイマーＴｏｆｆの状態を調べ（ステップＳ３１）、起動中であればタイマーＴｏｆｆを停止し（ステップＳ３２）、そして、タイマーＴｍｏｎの状態を調べ（ステップＳ３３）、起動中であればタイマーＴｍｏｎを停止する（ステップＳ３４）。フラグＦｏｆｆの状態を調べ（ステップＳ３５）、フラグＦｏｆｆがセットされているとクリアし（ステップＳ３６）、通信動作にはいる。フラグＦｏｆｆがクリアされているので、通信動作が終了後も電源オフの手段は実施されない。
【００２４】
【発明の効果】
以上のように、この発明による移動体通信装置の電力制御装置では、主にデータ通信などで移動局からの発信だけを利用するユーザにとっては、待ち受け時の電源消費を少なくすることができ、電池の長寿命化が図れる。
【図面の簡単な説明】
【図１】この発明の実施の形態に係る携帯電話装置を示す正面図である。
【図２】この発明の実施の形態に係る携帯電話装置のブロック図である。
【図３】この発明の実施の形態に係る携帯電話装置の制御動作を説明するための説明図である。
【図４】この発明の実施の形態に係る携帯電話装置の制御動作を示すフロー図であり、電源オフ状態から待ち受け状態に至る処理を示す。
【図５】この発明の実施の形態に係る携帯電話装置の制御動作を示すフロー図であり、待ち受け状態から通信状態に至る処理を示す。
【図６】この発明の実施の形態に係る携帯電話装置の制御動作を示すフロー図であり、通信状態から待ち受け状態に至る処理を示す。
【図７】この発明の実施の形態に係る携帯電話装置の制御動作を示すフロー図であり、待ち受け状態から着呼があり通信状態に至る処理を示す。
【符号の説明】
１  携帯電話本体
２  制御部
３  電池
４  電源スイッチ
１１    操作手段
２３  タイマー回路
２４  記憶装置
【図１】
0003600077.tif 000002
【図２】
0003600077.tif 000003
【図３】
0003600077.tif 000004
【図４】
0003600077.tif 000005
【図５】
0003600077.tif 000006
【図６】
0003600077.tif 000007
【図７】
0003600077.tif 000008